(57)【特許請求の範囲】
【請求項１】
建築構造物の構造計算を実行する構造計算プログラムを実行可能な構造計算装置と、当該構造計算装置と通信可能に接続され、建築図面に係るＣＡＤデータを処理するＣＡＤプログラムを実行可能な複数の図面データ処理装置とを備える図面データ処理システムであって、
前記図面データ処理装置のそれぞれが、
前記ＣＡＤプログラムにて処理されるＣＡＤデータを記憶するＣＡＤデータ記憶部と、
前記ＣＡＤデータ記憶部に記憶されているＣＡＤデータに基づいて、前記構造計算プログラムにて処理可能な構造計算用データを生成する構造計算用データ生成手段と、
前記構造計算用データ生成手段によって生成された構造計算用データを、前記構造計算装置に対して送信する構造計算用データ送信手段と
を具備し、
前記構造計算装置が、
前記構造計算プログラムに、前記図面データ処理装置から受信した構造計算用データを用いて構造計算を実行させた場合に、当該構造計算における異常を示し、当該異常を識別するための異常ＩＤを含む異常情報を当該構造計算プログラムから抽出する異常情報抽出手段と、
前記異常情報抽出手段によって抽出された前記異常情報を、前記図面データ処理装置に対して送信する異常情報送信手段と
を具備し、
前記図面データ処理装置のそれぞれが更に、
前記構造計算装置から受信した異常情報により示される異常が、前記建築構造物の複数の構成部材のうちの何れの構成部材に関するものであるかを特定する構成部材特定手段と、
前記構成部材特定手段により特定された構成部材を表す図形を、前記建築構造物に係るＣＡＤデータにおいて特定し、その特定した図形に対して、前記異常が発生していることを示す異常発生情報を付記する異常発生情報付記手段と、
前記特定した図形を含むＣＡＤデータに、異常ＩＤと対応付けて予め記憶されている異常の内容を示すテキスト情報のうち、前記異常情報に含まれる異常ＩＤと対応付けられているテキスト情報を書き込むテキスト情報書き込み手段と
を具備する、図面データ処理システム。
【請求項２】
前記図面データ処理装置が更に、
前記異常発生情報付記手段により異常発生情報が付記された図形の選択を受け付ける図形選択受付手段と、
前記図形選択受付手段により選択が受け付けられた図形についての修正データの入力を受け付ける修正データ入力受付手段と
を具備し、
前記構造計算用データ生成手段が、前記修正データ入力受付手段により入力が受け付けられた修正データに基づいて、構造計算用データを生成するように構成されている、
請求項１に記載の図面データ処理システム。
【請求項３】
前記異常発生情報付記手段が、前記異常の種類を示す異常発生情報を、前記図形を指し示す引出線を用いて付記するように構成されている、
請求項１又は２に記載の図面データ処理システム。
【請求項４】
建築構造物の構造計算を実行する構造計算プログラムを実行可能な構造計算装置と、当該構造計算装置と通信可能に接続され、建築図面に係るＣＡＤデータを記憶するＣＡＤデータ記憶部を具備し、当該ＣＡＤデータを処理するＣＡＤプログラムを実行可能な複数の図面データ処理装置とによって実行される図面データ処理方法であって、
前記図面データ処理装置のそれぞれが、
前記ＣＡＤデータ記憶部に記憶されているＣＡＤデータに基づいて、建築構造物の構造計算を実行する構造計算プログラムにて処理可能な構造計算用データを生成するステップと、
生成された構造計算用データを、前記構造計算装置に対して送信するステップと、
前記構造計算装置が、
前記構造計算プログラムに、前記図面データ処理装置から受信した構造計算用データを用いて構造計算を実行させた場合に、当該構造計算における異常を示し、当該異常を識別するための異常ＩＤを含む異常情報を当該構造計算プログラムから抽出するステップと、
抽出された前記異常情報を、前記図面データ処理装置に対して送信するステップと、
前記図面データ処理装置のそれぞれが更に、
前記構造計算装置から受信した異常情報により示される異常が、前記建築構造物の複数の構成部材のうちの何れの構成部材に関するものであるかを特定するステップと、
特定された構成部材を表す図形を、前記建築構造物に係るＣＡＤデータにおいて特定し、その特定した図形に対して、前記異常が発生していることを示す異常発生情報を付記するステップと、
前記特定した図形を含むＣＡＤデータに、異常ＩＤと対応付けて予め前記図面データ処理装置に記憶されている異常の内容を示すテキスト情報のうち、前記異常情報に含まれる異常ＩＤと対応付けられているテキスト情報を書き込むステップと
を有する、図面データ処理方法。
【発明の詳細な説明】
【技術分野】
【０００１】
本発明は、ＣＡＤ（Computer Aided Design）等で用いられる建築用の図面データを処理する図面データ処理装置、図面データ処理システム、図面データ処理方法、及びその方法をコンピュータに実施させるためのコンピュータプログラムに関する。
【背景技術】
【０００２】
建築分野においては、設計者がＣＡＤプログラム等を用いて建築構造物の意匠設計を行い、その設計された建築構造物について構造計算が行われる。この構造計算は専用の構造計算プログラムにて実施されることが殆どである。このように、設計及び構造計算は異なるコンピュータプログラムを用いて行われるのが通常であるため、その連携が問題となり、そのための工夫が種々提案されている。
【０００３】
例えば、特許文献１には、汎用ＣＡＤプログラムと構造計算プログラムとをリンクさせ、汎用ＣＡＤプログラムで設計した図形データを構造計算プログラムに渡すことにより構造計算を実行する建築構造物の解析方法が開示されている。この解析方法によれば、汎用ＣＡＤプログラムで設計した図形データを容易に利用することができるので、効率良く構造計算を行うことが可能になる。
【先行技術文献】
【特許文献】
【０００４】
【特許文献１】特開２００１−０２８０１４号公報
【発明の概要】
【発明が解決しようとする課題】
【０００５】
しかしながら、上述した従来の解析方法の場合、ＣＡＤプログラム側から構造計算プログラム側に対してデータが渡される一方で、その反対に構造計算プログラム側からＣＡＤプログラム側に対してデータが渡されることはない。そのため、構造計算プログラムによる構造計算の結果、設計変更が必要となった場合でも、これらの構造計算プログラム及びＣＡＤプログラムが連動することはなく、その設計変更を適切に支援することができないという問題がある。
【０００６】
本発明は斯かる事情に鑑みてなされたものであり、その主たる目的は、構造計算プログラムによる構造設計の結果を用いることにより、上記の課題を解決することができる図面データ処理装置、図面データ処理システム、図面データ処理方法及びコンピュータプログラムを提供することにある。
【課題を解決するための手段】
【０００７】
上述した課題を解決するために、本発明の一の態様の図面データ処理システムは、建築構造物の構造計算を実行する構造計算プログラムを実行可能な構造計算装置と、当該構造計算装置と通信可能に接続され、建築図面に係るＣＡＤデータを処理するＣＡＤプログラムを実行可能な複数の図面データ処理装置とを備える図面データ処理システムであって、前記図面データ処理装置のそれぞれが、前記ＣＡＤプログラムにて処理されるＣＡＤデータを記憶するＣＡＤデータ記憶部と、前記ＣＡＤデータ記憶部に記憶されているＣＡＤデータに基づいて、前記構造計算プログラムにて処理可能な構造計算用データを生成する構造計算用データ生成手段と、前記構造計算用データ生成手段によって生成された構造計算用データを、前記構造計算装置に対して送信する構造計算用データ送信手段とを具備し、前記構造計算装置が、前記構造計算プログラムに、前記図面データ処理装置から受信した構造計算用データを用いて構造計算を実行させた場合に、当該構造計算における異常を示し、当該異常を識別するための異常ＩＤを含む異常情報を当該構造計算プログラムから抽出する異常情報抽出手段と、前記異常情報抽出手段によって抽出された前記異常情報を、前記図面データ処理装置に対して送信する異常情報送信手段とを具備し、前記図面データ処理装置のそれぞれが更に、前記構造計算装置から受信した異常情報により示される異常が、前記建築構造物の複数の構成部材のうちの何れの構成部材に関するものであるかを特定する構成部材特定手段と、前記構成部材特定手段により特定された構成部材を表す図形を、前記建築構造物に係るＣＡＤデータにおいて特定し、その特定した図形に対して、前記異常が発生していることを示す異常発生情報を付記する異常発生情報付記手段と、前記特定した図形を含むＣＡＤデータに、異常ＩＤと対応付けて予め記憶されている異常の内容を示すテキスト情報のうち、前記異常情報に含まれる異常ＩＤと対応付けられているテキスト情報を書き込むテキスト情報書き込み手段とを具備する。
【０００８】
前記態様において、前記図面データ処理装置を複数備えており、前記構造計算装置が、複数の前記図面データ処理装置のそれぞれから構造計算用データを受信するように構成されていてもよい。
【０００９】
また、前記態様において、前記図面データ処理装置が更に、前記異常発生情報付記手段により異常発生情報が付記された図形の選択を受け付ける図形選択受付手段と、前記図形選択受付手段により選択が受け付けられた図形についての修正データの入力を受け付ける修正データ入力受付手段とを更に具備し、前記構造計算用データ生成手段が、前記修正データ入力受付手段により入力が受け付けられた修正データに基づいて、構造計算用データを生成するように構成されていてもよい。
【００１０】
また、前記態様における異常発生情報付記手段が、前記異常の種類を示す異常発生情報を、前記図形を指し示す引出線を用いて付記するように構成されていてもよい。
【００１１】
また、本発明の一の態様の図面データ処理方法は、建築構造物の構造計算を実行する構造計算プログラムを実行可能な構造計算装置と、当該構造計算装置と通信可能に接続され、建築図面に係るＣＡＤデータを記憶するＣＡＤデータ記憶部を具備し、当該ＣＡＤデータを処理するＣＡＤプログラムを実行可能な複数の図面データ処理装置とによって実行される図面データ処理方法であって、前記図面データ処理装置のそれぞれが、前記ＣＡＤデータ記憶部に記憶されているＣＡＤデータに基づいて、建築構造物の構造計算を実行する構造計算プログラムにて処理可能な構造計算用データを生成するステップと、生成された構造計算用データを、前記構造計算装置に対して送信するステップと、前記構造計算装置が、前記構造計算プログラムに、前記図面データ処理装置から受信した構造計算用データを用いて構造計算を実行させた場合に、当該構造計算における異常を示し、当該異常を識別するための異常ＩＤを含む異常情報を当該構造計算プログラムから抽出するステップと、抽出された前記異常情報を、前記図面データ処理装置に対して送信するステップと、前記図面データ処理装置のそれぞれが更に、前記構造計算装置から受信した異常情報により示される異常が、前記建築構造物の複数の構成部材のうちの何れの構成部材に関するものであるかを特定するステップと、特定された構成部材を表す図形を、前記建築構造物に係るＣＡＤデータにおいて特定し、その特定した図形に対して、前記異常が発生していることを示す異常発生情報を付記するステップと、前記特定した図形を含むＣＡＤデータに、異常ＩＤと対応付けて予め前記図面データ処理装置に記憶されている異常の内容を示すテキスト情報のうち、前記異常情報に含まれる異常ＩＤと対応付けられているテキスト情報を書き込むステップとを有する。
【発明の効果】
【００１４】
本発明に係る図面データ処理装置、図面データ処理システム、図面データ処理方法及びコンピュータプログラムによれば、構造計算プログラムの処理結果に応じて建築構造物の設計変更が必要となる場合に、その支援を行うことが可能になる。
【図面の簡単な説明】
【００１５】
【図１】本発明の実施の形態１に係る図面データ処理装置の構成を示すブロック図。
【図２】エラーメッセージデータベースのレイアウトの一例を示す図。
【図３】本発明の実施の形態１の図面データ処理装置が実行する構造計算用データ出力処理の処理手順を示すフローチャート。
【図４】本発明の実施の形態１の図面データ処理装置が実行するエラーメッセージ図面生成処理の処理手順を示すフローチャート。
【図５】本発明の実施の形態１の図面データ処理装置のディスプレイ上に表示されるエラーメッセージ図面を表示する画面の一例を示す図。
【図６】本発明の実施の形態１の図面データ処理装置が実行する修正データ入出力処理の処理手順を示すフローチャート。
【図７】修正データ入力ボックスが表示されている場合のエラーメッセージ図面を表示する画面の一例を示す図。
【図８】本発明の実施の形態２に係る図面データ処理システムの構成を示すブロック図。
【図９】本発明の実施の形態２に係る図面データ処理システムの動作の手順を示すフローチャート。
【発明を実施するための形態】
【００１６】
以下、本発明の好ましい実施の形態について、図面を参照しながら説明する。なお、以下に示す実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１７】
（実施の形態１）
［図面データ処理装置の構成］
図１は、本発明の実施の形態に係る図面データ処理装置の構成を示すブロック図である。図１に示すように、コンピュータ（図面データ処理装置）１００は、本体１と、入力部２と、ディスプレイ３とを備えている。本体１は、ＣＰＵ１１、ＲＯＭ１２、ＲＡＭ１３、ハードディスク１４、データ読出装置１５、入出力インタフェース（Ｉ／Ｆ）１６、及び画像出力インタフェース（Ｉ／Ｆ）１７を備えており、これらのＣＰＵ１１、ＲＯＭ１２、ＲＡＭ１３、ハードディスク１４、データ読出装置１５、入出力Ｉ／Ｆ１６及び画像出力Ｉ／Ｆ１７は、バスＢＳによって接続されている。
【００１８】
ＣＰＵ１１は、ＲＡＭ１３にロードされたコンピュータプログラムを実行することができる。このＣＰＵ１１が後述するＣＡＤプログラム１４Ａを実行することによって、コンピュータ１００が本実施の形態の図面データ処理装置として機能することになる。
【００１９】
ＲＯＭ１２は、マスクＲＯＭ、ＰＲＯＭ（Programmable ROM）、ＥＰＲＯＭ（Erasable PROM）、又はＥＥＰＲＯＭ（Electrically Erasable PROM）などによって構成されており、ＣＰＵ１１にて実行されるコンピュータプログラム及びその実行の際に用いられるデータなどが記憶されている。
【００２０】
ＲＡＭ１３は、ＳＲＡＭ又はＤＲＡＭなどによって構成されている。このＲＡＭ１３は、ハードディスク１４に記憶されているＣＡＤプログラム１４Ａ及び構造計算プログラム１４Ｂの読み出し等に用いられる。また、ＣＰＵ１１が各種のコンピュータプログラムを実行するときに、ＣＰＵ１１の作業領域としても利用される。
【００２１】
ハードディスク１４には、オペレーティングシステム及びアプリケーションプログラムなど、ＣＰＵ１１に実行させるための種々のコンピュータプログラム及び当該コンピュータプログラムの実行に用いられるデータが予めインストールされている。ＣＡＤプログラム１４Ａ及び構造計算プログラム１４Ｂも、このハードディスク１４にインストールされている。ＣＡＤプログラム１４ＡはＣＡＤデータの生成等を行うためのコンピュータプログラムであり、また、構造計算プログラム１４Ｂは建築構造物の構造計算を行うためのコンピュータプログラムである。
【００２２】
また、ハードディスク１４には、建築用のＣＡＤデータが蓄積される図面データデータベース（ＤＢ）１４Ｃが設けられている。この図面データＤＢ１４Ｃに蓄積されるＣＡＤデータは、例えばＤＸＦ形式、ＤＷＧ形式、ＪＷＣ形式などのデータであって、床伏図、天井伏図及び平面詳細図等の各種の平面図、並びに各種の断面図及び立面図等を表すデータである。二次元及び三次元の何れのＣＡＤデータであってもよい。
【００２３】
また、ハードディスク１４には、構造計算プログラム１４Ｂが構造計算を実行した場合に発生したエラーに関する情報が蓄積されるエラーメッセージデータベース（ＤＢ）１４Ｄが設けられている。図２は、このエラーメッセージＤＢ１４Ｄのレイアウトの一例を示す図である。図２に示すとおり、エラーメッセージＤＢ１４Ｄは、エラーメッセージを識別するためのエラーＩＤが格納されるエラーＩＤフィールド１４１、及びそのエラーＩＤで識別されるエラーメッセージの内容が格納されるエラーメッセージフィールド１４２を有している。
【００２４】
上述したエラーメッセージＤＢ１４Ｄに格納されているエラーＩＤ及びエラーメッセージは、構造計算プログラム１４Ｂにより出力されるエラーに関する情報（以下、「エラー情報」という）に含まれる情報である。このエラー情報は、構造計算プログラム１４Ｂによってテキスト形式で出力される。コンピュータ１００は、テキスト形式のエラー情報を構造計算プログラム１４Ｂから取得し、その中からエラーＩＤ及びエラーメッセージを抽出することにより、エラーメッセージＤＢ１４Ｄを構築する。なお、このように構造計算プログラム１４Ｂから出力されるエラー情報を用いてエラーメッセージＤＢ１４Ｄを構築するのではなく、構造計算プログラム１４Ｂのマニュアル等に記載されているエラーＩＤ及びエラーメッセージを図面データ処理装置１００に入力することによってエラーメッセージＤＢ１４Ｄを構築するようにしてもよい。
【００２５】
さらに、ハードディスク１４には、例えば米マイクロソフト社が製造販売するWindows（登録商標）などのマルチタスクオペレーティングシステムがインストールされている。以下の説明においては、ＣＡＤプログラム１４Ａ及び構造計算プログラム１４Ｂが当該オペレーティングシステム上で動作するものとしている。
【００２６】
データ読出装置１５は、フレキシブルディスクドライブ、ＣＤ−ＲＯＭドライブ、又はＤＶＤ−ＲＯＭドライブなどによって構成されており、可搬型記録媒体１８に記録されたコンピュータプログラム又はデータを読み出すことができる。この可搬型記録媒体１８に記録されたＣＡＤプログラム１４Ａがデータ読出装置１５によって読み出されてハードディスク１４にインストールされることで、コンピュータ１００を図面データ処理装置として機能させることが可能になる。なお、ＣＡＤプログラム１４Ａは、このように可搬型記録媒体１８によって提供されるのみならず、電気通信回線（有線、無線を問わない）によってコンピュータ１００と通信可能に接続された外部の機器から当該電気通信回線を通じて提供する等の態様も可能である。例えば、ＣＡＤプログラム１４Ａがインターネット上のサーバコンピュータのハードディスク内に格納されており、このサーバコンピュータにコンピュータ１００がアクセスして、当該ＣＡＤプログラム１４Ａをダウンロードし、これをハードディスク１４にインストールすること等も可能である。
【００２７】
入出力インタフェース１６は、例えばUSB，IEEE1394，又はRS-232Cなどのシリアルインタフェース、SCSI，IDE，又はIEEE1284などのパラレルインタフェース、及びＤ／Ａ変換器、Ａ／Ｄ変換器などからなるアナログインタフェース等から構成されている。この入出力インタフェース１６には、キーボード及びマウスからなる入力部２が接続されており、ユーザが当該入力部２を操作することにより、コンピュータ１００にデータを入力することが可能になる。
【００２８】
画像出力インタフェース１７は、ＬＣＤまたはＣＲＴなどで構成されたディスプレイ３に接続されており、この画像出力インタフェース１７を介してＣＰＵ１１から画像データに応じた映像信号等がディスプレイ３に与えられる。ディスプレイ３は、ＣＰＵ１１より入力された映像信号等にしたがって、画像（画面）を表示する。
【００２９】
［図面データ処理装置の動作］
次に、上述したように構成された図面データ処理装置１００の動作について、フローチャート等を参照しながら説明する。なお、本実施の形態の図面データ処理装置１００が実行する主な処理には、（１）構造計算用のデータを構造計算プログラム１４Ｂに対して出力するための構造計算用データ出力処理、（２）エラーメッセージが表された図面であるエラーメッセージ図面を生成するためのエラーメッセージ図面生成処理、及び（３）構造計算の結果を受けて設計変更を行う場合に、修正する必要があるデータの入出力を行うための修正データ入出力処理等がある。以下では、これらの各処理の詳細について説明する。
【００３０】
（１）構造計算用データ出力処理
ユーザは、図面データ処理装置１００上でＣＡＤプログラム１４Ａを実行し、建築構造物の意匠設計を行う。これにより、この建築構造物に関する各種の図面データが生成され、図面データＤＢ１４Ｃに蓄積される。ユーザはその後、設計された建築構造物について構造計算を行うために、特定の図面データを図面データＤＢ１４Ｃから読み出すように図面データ処理装置１００に対して指示する。この指示を受けて、図面データ処理装置１００は、以下の構造計算用データ出力処理を実行する。
【００３１】
図３は、本発明の実施の形態１の図面データ処理装置１００が実行する構造計算用データ出力処理の処理手順を示すフローチャートである。図３に示すとおり、図面データ処理装置１００はまず、ユーザによって指示された図面データを図面データＤＢ１４Ｃから読み出す（Ｓ１０１）。次に、図面データ処理装置１００は、読み出した図面データから構造計算に必要となるデータを抽出し、それらのデータを用いて構造計算プログラム１４Ｂに渡すための構造計算用データを生成する（Ｓ１０２）。そして、図面データ処理装置１００は、自らが実行している構造計算プログラム１４Ｂに対して、生成した構造計算用データを出力する（Ｓ１０３）。
【００３２】
なお、上述した構造計算に必要となるデータとしては、例えば、構造計算の対象となる柱・梁・耐震壁等の各構成部材の躯体寸法・配筋データ・材料データ及び配置データ等が挙げられる。なお、小梁・スラブ・非耐震壁等の構造計算の対象とならない構成部材についても付加荷重等を計算する必要があり、また個別部材として単体の構造強度を別途計算する必要も生じるため、これらの躯体寸法及び配筋データ等も上述した構造計算に必要となるデータに含まれることになる。
【００３３】
以上の構造計算用データ出力処理により、ＣＡＤプログラム１４Ａから構造計算プログラム１４Ｂに対して構造計算用データが渡されることになる。構造計算プログラム１４Ｂでは、ＣＡＤプログラム１４Ａから取得した構造計算用データを用いて構造計算が行われる。その結果、構造計算上のエラーが発生した場合、構造計算プログラム１４Ｂによりエラー情報が出力される。このとき、ＣＡＤプログラム１４Ａによって、次のエラーメッセージ図面生成処理が実行される。
【００３４】
（２）エラーメッセージ図面生成処理
図４は、本発明の実施の形態１の図面データ処理装置１００が実行するエラーメッセージ図面生成処理の処理手順を示すフローチャートである。図４に示すとおり、図面データ処理装置１００はまず、自らが実行している構造計算プログラム１４Ｂにより出力されたエラー情報を取得する（Ｓ２０１）。なお、このエラー情報には、エラーＩＤ及びエラーメッセージの他、そのエラーに係る構成部材を識別するための部材符号が含まれている。
【００３５】
図面データ処理装置１００は、取得したエラー情報に含まれているエラーＩＤを用いてエラーメッセージＤＢ１４Ｄを検索することにより、そのエラーＩＤに対応するエラーメッセージを特定する（Ｓ２０２）。なお、当該エラーＩＤがエラーメッセージＤＢ１４Ｄに登録されていなかった場合は、図面データ処理装置１００が、取得したエラー情報に含まれているエラーメッセージと当該エラーＩＤとを対応付けてエラーメッセージＤＢ１４Ｄに登録する。
【００３６】
次に、図面データ処理装置１００は、ステップＳ２０１にて取得したエラー情報に含まれている部材符号を参照することにより、エラーに係る構成部材を特定し（Ｓ２０３）、その特定した構成部材が含まれる図面データを図面データＤＢ１４Ｃから抽出する（Ｓ２０４）。なお、以下では、エラーに係る構成部材を「エラー部材」と表現する。
【００３７】
次に、図面データ処理装置１００は、抽出した図面データにおける前記特定した構成部材を表す図形に対してエラーＩＤを書き込む（Ｓ２０５）。この場合、図面データ処理装置１００は、当該図形を指し示す引出線を用いて、当該図形と当該エラーＩＤとを対応付けるようにする。
【００３８】
さらに、図面データ処理装置１００は、ステップＳ２０２にて特定したエラーメッセージを、抽出した図面データに書き込む（Ｓ２０６）。この場合、図面データ処理装置１００は、エラーＩＤと対応付けてエラーメッセージを書き込むようにする。
【００３９】
以上のようにエラーＩＤ及びエラーメッセージが書き込まれたエラーメッセージ図面が生成される。図面データ処理装置１００は、生成したエラーメッセージ図面をディスプレイ３上に表示する（Ｓ２０７）。
【００４０】
図５は、図面データ処理装置１００のディスプレイ３上に表示されるエラーメッセージ図面を表示する画面の一例を示す図である。この図５では、柱・梁・スラブ・壁等の配置状況を平面で表した伏図の図面データがステップＳ２０４において抽出された場合に図面データ処理装置１００により生成されたエラーメッセージ図面が例示されている。このエラーメッセージ図面中の伏図において、「Ｊ１」及び「ＪＡ」等の文字列が丸囲みされた記号は通り芯を識別するための通り芯記号であり、Ｃから始まる符号は柱の部材符号を、Ｇから始まる符号は梁の部材符号を、Ｓ又はＣＳから始まる符号はスラブの部材符号を、Ｗから始まる符号は壁の部材符号をそれぞれ表している。
【００４１】
図面データ処理装置１００は、ステップＳ２０５において、ステップＳ２０１にて構造計算プログラム１４Ｂから取得したエラー情報に基づいて、上述した伏図における通り芯Ｊ１及び通り芯ＪＢの交点上に位置する柱Ｃ５２と同じく通り芯Ｊ１上に位置する梁Ｇ６４とに対してエラーＩＤを書き込む。その結果、図５に示すように、当該柱Ｃ５２を示す図形に対してエラーＩＤ“５６０”が、当該梁Ｇ６４を示す図形に対してエラーＩＤ“６６２”がそれぞれ引出線とともに書き込まれることになる。
【００４２】
また、図面データ処理装置１００は、ステップＳ２０６において、ステップＳ２０２にて特定したエラーメッセージ及びエラーＩＤを画面Ｐ１の左上隅に書き込む。その結果、図５に示すように、構造計算プログラム１４Ｂから取得したエラー情報に係るエラーメッセージ及びエラーＩＤが画面Ｐ１の左上隅に表示されることになる。
【００４３】
ユーザは、ディスプレイ３上に表示されている画面Ｐ１を参照することにより、構造計算においてどの構成部材についてどのようなエラーが発生したのかを視覚的に容易に確認することができる。図５に示す例では、図面中のエラーＩＤ、そのエラーＩＤが関連付けられているエラー部材の図形、及びそのエラーＩＤと対応するエラーメッセージを参照することにより、柱Ｃ５２に対してはエラーＩＤ“５６０”の「長期設計用曲げモーメントが長期許容曲げモーメントを超えている」というエラーが発生していることが、梁Ｇ６４に対してはエラーＩＤ“６６２”の「１／４位置または３／４位置において残りの鉄筋の引張応力度が、許容応力度を超えている」というエラーが発生していることが、それぞれ視覚的に確認できる。
【００４４】
（３）修正データ入出力処理
ユーザは、上述したようにしてディスプレイ３上に表示されている画面Ｐ１を参照した上で、発生しているエラーを解消するために、エラー部材の構造及び配置等をどのように修正する必要があるかを検討する。その検討の結果に応じて、ユーザは、修正する必要があるデータを決定する。この修正する必要があるデータの入力を行うために、ユーザは、入力部２を用いてエラー部材を選択する。これにより、以下の修正データ入出力処理が実行される。
【００４５】
なお、上述した修正する必要があるデータとしては、主筋本数・主筋径（図２に示すエラーＩＤ“５５５”，“５６０”，“６６２”のエラーが発生した場合、主筋断面積を増やすために、主筋本数を増やしたり主筋径を太くしたりする）、フープ筋・スターラップ筋の間隔・鉄筋径（せん断力に関連するエラーが発生した場合、フープ筋・スターラップ筋の間隔を狭くしたり、鉄筋径を太くしたりする）、及び躯体断面積・コンクリート強度（せん断力又は圧縮強度に関連するエラーが発生した場合、躯体断面積を大きくしたり、コンクリート強度を上げたりする）等が挙げられる。
【００４６】
図６は、本発明の実施の形態１の図面データ処理装置１００が実行する修正データ入出力処理の処理手順を示すフローチャートである。図６に示すとおり、図面データ処理装置１００は、ユーザからエラー部材の選択を受け付けた場合（Ｓ３０１）、そのエラー部材の周辺に修正データを入力するためのダイアログボックスである修正データ入力ボックスをディスプレイ３上に表示する（Ｓ３０２）。
【００４７】
図７は、修正データ入力ボックスが表示されている場合のエラーメッセージ図面を表示する画面の一例を示す図である。図７に示す画面Ｐ２には、図５における画面Ｐ１と同様の情報の他に、入力部２の操作に応じて移動するカーソルＣ１、修正データ入力ボックスＤ１、及び修正データ入力ボックスＤ１への修正データの入力が完了された場合にカーソルＣ１によりクリックされる入力完了ボタンＢ１が示されている。
【００４８】
ユーザはまず、入力部２を用いて、エラー部材を示す図形にカーソルＣ１を移動させる。この状態でユーザがクリック動作を行うと、修正データ入力ボックスＤ１が表示される。ユーザは、修正データ入力ボックスＤ１に対して修正データを入力した後、カーソルＣ１を入力完了ボタンＢ１の位置まで移動させ、当該入力完了ボタンＢ１をクリックする。
【００４９】
図面データ処理装置１００は、ユーザによる入力完了ボタンＢ１のクリックを検知した場合（Ｓ３０３）、その修正データ入力ボックスＤ１に入力された情報を用いて、上記の構造計算用データ出力処理におけるステップＳ１０２と同様に、構造計算プログラム１４Ｂに渡すための構造計算用データを生成する（Ｓ３０４）。そして、図面データ処理装置１００は、自らが実行している構造計算プログラム１４Ｂに対して、生成した構造計算用データを出力する（Ｓ３０５）。
【００５０】
以上の修正データ入出力処理により、発生したエラーを解消するための情報が含まれている構造計算用データが、ＣＡＤプログラム１４Ａから構造計算プログラム１４Ｂに対して渡されることになる。構造計算プログラム１４Ｂでは、ＣＡＤプログラム１４Ａから取得した構造計算用データを用いて構造計算を再度行う。その結果、構造計算上のエラーが解消した場合は設計作業が完了することになる。また、この構造計算において新たに別のエラーが発生した場合、上述したエラーメッセージ図面生成処理が再度行われ、続いて修正データ入出力処理が実行されることになる。このように、設計作業が完了するまで、上記のエラーメッセージ図面生成処理及び修正データ入出力処理が繰り返し実行されることになる。
【００５１】
以上のように、本実施の形態では、ＣＡＤプログラム１４Ａが構造計算プログラム１４Ｂのエラー情報を利用して各種の処理を行うことにより、設計変更作業を容易に行うことが可能になる。
【００５２】
（実施の形態２）
実施の形態１では、１つのコンピュータにＣＡＤプログラム及び構造計算プログラムがインストールされており、各種の処理が当該コンピュータにおいて実行されている。これに対して、実施の形態２では、ＣＡＤプログラム及び構造計算プログラムが別々のコンピュータにインストールされており、これらのコンピュータがＬＡＮ及びインターネット等の各種の通信ネットワークを介してデータ通信を行うことにより、上述した各処理を実行する。
【００５３】
図８は、本発明の実施の形態２の図面データ処理システムの構成を示すブロック図である。図８に示すとおり、本実施の形態の図面データ処理システムは、複数の図面データ処理装置２００，２００，…及び構造計算装置３００を備えており、これらの図面データ処理装置２００，２００，…と構造計算装置３００とは通信ネットワークＮＴＷを介して通信可能に接続されている。ここで、図面データ処理装置２００，２００，…は実施の形態１におけるＣＡＤプログラム１４Ａがインストールされているコンピュータで構成され、また、構造計算装置３００は同じく構造計算プログラム１４Ｂがインストールされているコンピュータで構成されている。また、図面データ処理装置２００，２００，…は、実施の形態１における図面データＤＢ１４Ｃ及びエラーメッセージＤＢ１４Ｄを有している。
【００５４】
図９は、本発明の実施の形態２に係る図面データ処理システムの動作の手順を示すフローチャートである。まず、図面データ処理装置２００は、実施の形態１における構造計算用データ出力処理のステップＳ１０１及びＳ１０２と同様にして、図面データを図面データＤＢ１４Ｃから読み出し（Ｓ４０１）、構造計算用データを生成する（Ｓ４０２）。そして、図面データ処理装置１００は、その構造計算用データを構造計算装置３００に対して送信する（Ｓ４０３）。
【００５５】
構造計算装置３００は、図面データ処理装置２００から送信された構造計算用データを受信した場合（Ｓ５０１）、その構造計算用データを用いて構造計算を実行する（Ｓ５０２）。その結果、構造計算上のエラーが発生した場合、構造計算装置３００は、そのエラーに関するエラー情報を含む計算結果情報を図面データ処理装置２００に対して送信する（Ｓ５０３）。
【００５６】
図面データ処理装置２００は、構造計算装置３００から送信された計算結果情報を受信した場合（Ｓ４０４）、実施の形態１におけるエラーメッセージ図面生成処理のステップＳ２０２乃至Ｓ２０４と同様にして、受信した計算結果情報中のエラー情報を用いてエラーメッセージを特定し（Ｓ４０５）、エラー部材を特定し（Ｓ４０６）、その特定したエラー部材が含まれる図面データを図面データＤＢ１４Ｃから抽出する（Ｓ４０７）。さらに、図面データ処理装置２００は、同じくエラーメッセージ図面生成処理のステップＳ２０５乃至Ｓ２０７と同様にして、エラー部材を表す図形に対してエラーＩＤを書き込み（Ｓ４０８）、エラーメッセージを図面データに書き込んだ後（Ｓ４０９）、これらの書き込みにより得られたエラーメッセージ図面をディスプレイ３上に表示する（Ｓ４１０）。
【００５７】
次に、図面データ処理装置２００は、実施の形態１における修正データ入出力処理のステップＳ３０１及びＳ３０２と同様に、ユーザからエラー部材の選択を受け付け（Ｓ４１１）、そのエラー部材の周辺に修正データを入力するための修正データ入力ボックスをディスプレイ３上に表示する（Ｓ４１２）。そして、図面データ処理装置２００は、同じく修正データ入出力処理のステップＳ３０３及びＳ３０４と同様に、ユーザから入力完了ボタンのクリックを検知した場合（Ｓ４１３）、その修正データ入力ボックスに入力された情報を用いて構造計算用データを生成する（Ｓ４１４）。そして、図面データ処理装置２００は、その生成した構造計算用データを構造計算装置３００に対して送信する（Ｓ４１５）。
【００５８】
構造計算装置３００は、図面データ処理装置２００から送信された構造計算用データを受信した場合（Ｓ５０４）、その構造計算用データを用いて構造計算を再度実行し（Ｓ５０５）、処理を終了する。ここで、構造計算上のエラーが発生した場合は、ステップＳ５０３に戻り、その後の処理が繰り返されることになる。
【００５９】
本実施の形態の場合、図面データ処理装置２００及び構造計算装置３００の両装置が上記のように動作することにより、実施の形態１の場合と同様の処理を実現することができる。この場合、各図面データ処理装置２００，２００，…を所有する複数の設計業者が１台の構造計算装置３００を共有することができる等のメリットもある。一般に、構造計算プログラム１４Ｂは高価であるため、このように複数の設計業者が１台の構造計算装置３００を共有することによって設計作業の低コスト化を実現すること等が可能になる。
【００６０】
（その他の実施の形態）
上記の実施の形態では、ＣＡＤプログラムと構造計算プログラムとが別のコンピュータプログラムとなっているが、これらが一体的となって一つのコンピュータプログラムとなっていてもよい。その場合、ＣＡＤ機能を担うプログラム部分と構造計算機能を担うプログラム部分とがそれぞれ上述した処理を実行することになる。
【産業上の利用可能性】
【００６１】
本発明の図面データ処理装置、図面データ処理システム、図面データ処理方法及びコンピュータプログラムは、共同住宅、個別住宅及びオフィスビル等の各種の建築物の建築図面を処理するための図面データ処理装置、図面データ処理システム、図面データ処理方法及びコンピュータプログラムなどとして有用である。
【符号の説明】
【００６２】
１  本体
２  入力部
３  ディスプレイ
１１  ＣＰＵ
１２  ＲＯＭ
１３  ＲＡＭ
１４  ハードディスク
１４Ａ  ＣＡＤプログラム
１４Ｂ  構造計算プログラム
１４Ｃ  図面データデータベース
１４Ｄ  エラーメッセージデータベース
１５  データ読出装置
１６  入出力インタフェース
１７  画像出力インタフェース
１８  可搬型記録媒体
１００  図面データ処理装置
２００  図面データ処理装置
３００  構造計算装置
ＢＳ  バス
Ｄ１  修正データ入力ボックス
【図１】
0005399452.tif 000002
【図２】
0005399452.tif 000003
【図３】
0005399452.tif 000004
【図４】
0005399452.tif 000005
【図５】
0005399452.tif 000006
【図６】
0005399452.tif 000007
【図７】
0005399452.tif 000008
【図８】
0005399452.tif 000009
【図９】
0005399452.tif 000010